(57)【要約】【課題】巻尺テープが柔軟で身体の周長等を測定するのに適し、測定した値を他の装置に転送可能とする。【解決手段】ケース１１０と、ドラム１３０と、一方の面１２０Ａに測定目盛１２１が付され、他方の面１２０Ｂに規則的な検出マーク１２２Ａ、１２２Ｂが付され、ドラムに巻き取られた巻尺テープ１２０と、検出マークを検出するマーク検出器１５０と、検出マークの検出結果からケースから引き出された巻尺テープの寸法を出力する回路基板部１７０と、ケースの表面に表示部が表示され演算結果を表示するデジタル表示部１６０と、を備える。巻尺テープ１２０を繊維素材で形成すると共に、ドラムに接続部材２１０を介して交換可能にドラム１３０に配置し、更に、ケースには演算手段が出力した値をパーソナルコンピュータにむけて出力する無線出力回路１６４を備える。【選択図】図１
2018119841.tif 000002
【特許請求の範囲】
【請求項１】
ケースと、
このケースに回転可能に配置されたドラムと、
一方の面に測定目盛が付され、他方の面に検出マークが規則的に付され、前記ドラムに巻き取られて収納された巻尺テープと、
前記ケースに配置され、前記検出マークを検出するマーク検出手段と、
前記マーク検出手段による前記検出マークの検出結果から前記ケースから引き出された前記巻尺テープの寸法を出力する演算手段と、
前記ケースの表面に表示部が表示され前記演算手段の演算結果を表示するデジタル表示部と、
を備えるメジャーにおいて、
前記巻尺テープを被測定物の外形に沿って変形が可能な非金属素材で形成される素材で形成すると共に、前記ドラムに接続部材を介して交換可能に配置し、
更に、前記ケースには前記演算手段が出力した値を外部装置にむけて出力する無線出力手段、
を備えることを特徴とするデジタル表示式メジャー。
【請求項２】
前記検出マークは、前記巻尺テープの両側縁部に、規則的に付された濃色のマークを連続的に２列に並べて構成され、
更に、巻尺テープの先端部には、前記演算手段をリセットするためのリセットマークが配置されており、
前記マーク検出手段は、２列の前記検出マークをそれぞれ異なる位相位置で読み取る光学的検出器と、前記リセットマークを検出するリセット検出器とを備え、
前記演算手段は、前記リセット検出器が前記リセットマークを検出したとき、出力値をリセットすることを特徴とする請求項１に記載のデジタル表示式メジャー。
【請求項３】
前記巻尺テープは天然繊維又は合成繊維からなる布で形成されていることを特徴とする請求項１又は請求項２に記載のデジタル表示式メジャー。
【請求項４】
前記巻尺テープの基端は前記ドラムに接続部材を介して交換可能に配置されていることを特徴とする請求項１から請求項３までの何れか一項に記載のデジタル表示式メジャー。
【請求項５】
前記マーク検出手段は、前記ケースに開閉可能に形成された蓋部材に配置されていることを特徴とする請求項１から請求項４までの何れか一項に記載のデジタル表示式メジャー。
【発明の詳細な説明】
【技術分野】
【０００１】
本発明は、巻尺テープで測定した値をデジタル表示することができるメジャーに関する。
【背景技術】
【０００２】
測定した値をデジタル表示するメジャーは、測定した値を見誤ることが少なく、測定の誤りを防止することができる。このようなメジャーとして、様々なものが提案されている。
【０００３】
特許文献１には、ケース部と、一端部が上記ケース部の内部に固定された巻尺テープと、上記巻尺テープを収納方向へ付勢しうる付勢部材と、上記巻尺テープが引き出された場合に上記巻尺テープの他端部を保持しうる保持部と、上記巻尺テープの測定値を取得しうる測定値取得手段と、上記測定値取得手段により取得した測定値を表示しうるデジタル表示部とを有するデジタル表示式メジャーであって、上記測定値取得手段は、上記巻尺テープの一方の面部に固定されると共に所定の磁気パターンが記録された磁気テープと、上記磁気パターンの磁気信号を取得しうる磁気センサー部と、上記磁気センサー部により得られた磁気信号を処理する信号処理部とを有し、上記巻尺テープを被測定物に巻回して上記巻尺テープの他端部を上記保持部に保持させた後に上記付勢部材の付勢力により上記巻尺テープを被測定物の周縁に密接させて、上記測定値取得手段により取得された測定値を上記デジタル表示部に表示させて巻回された被測定物の周長を測定しうるものが記載されている。
【０００４】
また、特許文献２には、表面に測長用検出マークが付され、被測定物の長さに対応して引き出し移動可能にケース本体の巻枠に巻き付け収納された測尺と、この測尺に投光して反射する光量を受光し、電気信号に変換する光電変換素子とを備え、測尺の移動量を測尺に付した測長用検出マークを光学的に検出して計測するようにしたものが提案されている。
【先行技術文献】
【特許文献】
【０００５】
【特許文献１】実登第３１４３４０９号公報
【特許文献２】特開昭６１−２３００１２号公報
【発明の概要】
【発明が解決しようとする課題】
【０００６】
しかし、特許文献１に記載のものは、磁気材料は柔軟性がないため繰り返しの巻き取りにて磁気部分の劣化が早く耐久性に難があるし、周長の測定に特化した形態であるため、測定対象が限られる。また、特許文献２に記載のものは、巻尺テープは金属製で湾曲しているため直線的にしか測定できず、このため周長を測れることができない他、巻尺テープが金属製であるため重く、また厚さが薄く固いので危険な感じを与え、身体の測定などは不向きである。
【０００７】
また、上述した従来のものは、巻尺テープは汚染されたとしても交換が難しい他、測定した値はメジャー本体に表示されるだけのものであり、この数値を読み間違えるおそれがある他、取得した値を他の機器に直接転送することはできない。
【０００８】
本発明は上述した課題に鑑みてなされたものであり、巻尺テープが柔軟で身体の周長等を測定するのに適し、測定した値をデジタル表示すると共に他の装置に転送することができるデジタル表示式メジャーを提供することを目的とする。
【課題を解決するための手段】
【０００９】
前記課題を解決する請求項１に記載の発明は、ケースと、このケースに回転可能に配置されたドラムと、一方の面に測定目盛が付され、他方の面に検出マークが規則的に付され、前記ドラムに巻き取られて収納された巻尺テープと、前記ケースに配置され、前記検出マークを検出するマーク検出手段と、前記マーク検出手段による前記検出マークの検出結果から前記ケースから引き出された前記巻尺テープの寸法を出力する演算手段と、前記ケースの表面に表示部が表示され前記演算手段の演算結果を表示するデジタル表示部と、を備えるメジャーにおいて、前記巻尺テープを被測定物の外形に沿って変形が可能な非金属素材で形成される素材で形成すると共に、前記ドラムに接続部材を介して交換可能に配置し、更に、前記ケースには前記演算手段が出力した値を外部装置にむけて出力する無線出力手段、を備えることを特徴とするデジタル表示式メジャーである。
本発明によれば、ケースのドラムから被測定物の外形に沿って変形が可能な非金属素材で形成された巻尺テープを引き出すと、マーク検出手段は巻尺テープに付された検出マークを検出し、演算手段がケースから引き出された巻尺テープの寸法を演算して、その結果がデジタル表示部に表示されるとともに、無線出力手段から外部装置に出力される。
よって、巻尺テープが被測定物の形状に沿って配置でき、安全で正確な測定を行うことができるとともに、測定値が表示手段で表示され、測定目盛を正確に読み取る他、外部装置に出力でき、測定結果を正確に記録したり有効に利用したりできる。
【００１０】
同じく請求項２に記載の発明は、前記検出マークは、前記巻尺テープの両側縁部に、規則的に付された濃色のマークを連続的に２列に並べて構成され、更に、巻尺テープの先端部には、前記演算手段をリセットするためのリセットマークが配置されており、前記マーク検出手段は、２列の前記検出マークをそれぞれ異なる位相位置で読み取る光学的検出器と、前記リセットマークを検出するリセット検出器とを備え、前記演算手段は、前記リセット検出器が前記リセットマークを検出したとき、出力値をリセットすることを特徴とする。
本発明によれば、マーク検出手段は、規則的に付された濃色のマークを連続的に２列に並べて形成した検出マークを異なる位相位置で読み取る他、リセット検出器は、リセットマークを読み取り、演算手段はリセット検出手段の出力に基づいて出力値をリセットする。
よって、演算手段は、マーク検出手段が異なる位相位置で読み取った２列の検出マークに基づいて、巻尺テープの引出、巻き戻しの両方向の動作に対応して測定寸法を演算することができる他、リセットマークを検出したとき演算手段をリセットして使用に伴う演算手段の誤差の発生、累積を防止することができる。
【００１１】
同じく請求項３に記載の発明は、前記巻尺テープは天然繊維又は合成繊維からなる布で形成されていることを特徴とする。
本発明によれば、巻尺テープは、天然繊維又は合成繊維からなる布で形成されている。
よって、巻尺テープを被測定物の測定面に沿わせることができる他、被測定物を傷つけるおそれがなく、人体を測定する場合であっても安心して測定を行うことができる。
【００１２】
同じく請求項４に記載の発明は、前記巻尺テープの基端は前記ドラムに接続部材を介して交換可能に配置されていることを特徴とする。
本発明によれば、巻尺テープはドラムに接続部材を介して交換可能に配置されている。
よって、巻尺テープが破損したり汚染されたりした場合、容易に新たなものと交換できる。
【００１３】
同じく請求項５に記載の発明は、前記マーク検出手段は、前記ケースに開閉可能に形成された蓋部材に配置されていることを特徴とする。
本発明によれば、マーク検出手段は、開閉可能な蓋部材によりケースに取付けられている。よって、ケースを開状態として巻尺テープの交換やセンサーの清掃を行うことができる。
【発明の効果】
【００１４】
本発明に係るデジタル表示式メジャーによれば、巻尺テープが柔軟で身体の周長等を測定するのに適し、測定した値をデジタル表示すると共に他の装置に転送することができる。
【００１５】
即ち、請求項１に係るデジタル表示式メジャーによれば、ケースのドラムから被測定物の外形に沿って変形が可能な非金属素材で形成された巻尺テープを引き出し、測定目盛を用い測長を行うと、マーク検出手段は巻尺テープに付された検出マークを検出し、演算手段がケースから引き出された巻尺テープの寸法を演算して、その結果がデジタル表示部に表示されるとともに、無線出力手段から外部装置に出力されるので、巻尺テープが被測定物の形状に沿って配置でき、安全で正確な測定を行うことができるとともに、測定値が表示手段で表示され正確に読み取る他、外部装置に出力でき、測定結果を正確に記録したり有効に利用したりできる。
【００１６】
また、請求項２に係るデジタル表示式メジャーによれば、マーク検出手段は、規則的に付された濃色のマークを連続的に２列に並べて形成した検出マークを異なる位相位置で読み取る他、リセット検出器は、リセットマークを読み取り、演算手段はリセット検出手段の出力に基づいて出力値をリセットするので、演算手段は、マーク検出手段が異なる位相位置で読み取った２列の検出マークに基づいて、巻尺テープの引出、巻き戻しの両方向の動作に対応して測定寸法を演算することができる他、リセットマークを検出したとき演算手段をリセットして使用に伴う演算手段の誤差の発生、累積を防止することができる。
【００１７】
また、請求項３に係るデジタル表示式メジャーによれば、巻尺テープは、天然繊維又は合成繊維からなる布で形成されているので、巻尺テープを被測定物の測定面に沿わせることができる他、被測定物を傷つけるおそれがなく、人体を測定する場合であっても安心して測定を行うことができる。
【００１８】
更に、請求項４に係るデジタル表示式メジャーによれば、巻尺テープはドラムに接続部材を介して交換可能に配置されているので、巻尺テープが破損したり汚染されたりした場合、容易に新たなものと交換できる。
【００１９】
そして、請求項５に係るデジタル表示式メジャーによれば、マーク検出手段は、開閉可能な蓋部材によりケースに取付けられ、ケースを開状態として巻尺テープの交換やセンサーの清掃を行うことができる。
【図面の簡単な説明】
【００２０】
【図１】本発明の実施形態に係るデジタル表示式メジャーを示すものであり、（ａ）はデジタル表示式メジャーの正面図、（ｂ）は表示部を示す（ａ）中Ｂ方向から見た上面図、（ｃ）は電池配置部及びドラムを示す（ａ）中のＣ−Ｃ線に相当する断面図である。
【図２】同デジタル表示式メジャーの巻尺テープを示すものであり、（ａ）測定目盛が付された側を示す模式図、（ｂ）は測定マークが配置された側を示す模式図、（ｃ）は検出マーク、リセットマークとマーク検出手段の各検出器を示す模式図である。
【図３】同デジタル表示式メジャーにおける検出手段の検出器による検出マークの検出状態を示すものであり、（ａ）は検出器を示す回路図、（ｂ）は検出器の出力を示す波形図である。
【図４】同デジタル表示式メジャーにおける巻尺テープとドラムとの取付状態を示すものであり、（ａ）は接続部材とドラムとの接続状態を示す模式図、（ｂ）は巻尺テープと接続部材との接続状態を示す模式図、（ｃ）は巻尺テープ、接続部材及びドラムの接続状態を示す模式図である。
【図５】同デジタル表示式メジャーにおける蓋部材の開閉状態を示すものであり、（ａ）は蓋部材を開位置とした状態を示すデジタル表示式メジャーの正面図、（ｂ）は（ａ）中のＤ−Ｄ線に相当する断面図、（ｃ）は開位置にある蓋部材を示す（ａ）中のＥ−Ｅ線の相当する断面図、（ｄ）は閉位置にある蓋部材を示す（ａ）中のＥ−Ｅ線の相当する断面図である。
【図６】同デジタル表示式メジャーの測定例を示すものであり、（ａ）、(ｂ)、（ｄ）はデジタル表示式メジャーのデジタル表示を示す写真、（ｃ）、（ｅ）は測定値を表示したパーソナルコンピュータの表示画面を示す図である。
【発明を実施するための形態】
【００２１】
本発明を実施するための形態に係るデジタル表示式メジャーについて説明する。図１は本発明の実施形態に係るデジタル表示式メジャーを示すものであり、（ａ）はデジタル表示式メジャーの正面図、（ｂ）は表示部を示す（ａ）中Ｂ方向から見た上面図、（ｃ）は電池配置部及びドラムを示す（ａ）中のＣ−Ｃ線に相当する断面図、図２は同デジタル表示式メジャーの巻尺テープを示すものであり、（ａ）測定目盛が付された側を示す模式図、（ｂ）は測定マークが配置された側を示す模式図、（ｃ）は検出マーク、リセットマークとマーク検出手段の各検出器を示す模式図である。
【００２２】
本発明の実施形態に係るデジタル表示式メジャー１００は、ケース１１０内に巻尺テープ１２０と、この巻尺テープ１２０を巻き取ったドラム１３０と、マーク検出手段であるマーク検出器１５０と、デジタル表示部１６０と、回路基板部１７０と、巻尺テープ案内部材１８０と、電源部１９０とを備える。
【００２３】
ケース１１０は、台形状の輪郭を備えた所定の厚さ寸法を備える箱体であり合成樹脂で形成されるケース本体１１１を備える。ケース１１０は、検出器蓋部材１１２と、リセットマーク１２３とが形成されている。検出器蓋部材１１２には、マーク検出器１５０が取付けられてケース本体１１１に対して開閉とされる。電源部蓋部材１１３は電源部１９０の電池１９１、１９２を交換するために開閉される。巻尺テープ１２０の先端は、ケース１１０の先細り部１０１から取り出される。
【００２４】
この例では、ケース１１０の先細り部１０１の内部には、ローラ２０１、２０２が配置されて巻尺テープ１２０を案内する。なお、図１においてドラム１３０からの巻尺テープ１２０の引出位置を、巻尺テープ１２０がドラム１３０に大きな直径で巻とられた状態を符号１２０Ｆ、巻尺テープ１２０が引き出さされドラム１３０に小さな直径で巻き取られた状態を符号１２０Ｅで示した。
【００２５】
巻尺テープ１２０は、伸びが少なく柔軟かつ被測定物の外形に沿って変形が可能な非金属素材で形成される。即ち、巻尺テープ１２０は、天然繊維、合成繊維、ガラス繊維等からなる繊維製巻尺で構成することができる。即ち、巻尺テープ１２０としてはＪＩＳ規格（ＪＩＳ  Ｂ  ７５２２：２００５）で規定されている繊維製巻尺をそのまま使用できる。更に、巻尺テープ１２０の先端には長方形状の引手１４０が取付けられている。本実施形態では、巻尺テープ１２０と引手１４０とは口革と称する樹脂製のフィルムで接続している。
【００２６】
図２（ａ）に示すように、巻尺テープ１２０の一方の面１２０Ａには、測定目盛１２１が印刷されている。この例では測定目盛１２１はセンチメートル表記による数値と、０．５ｃｍ刻みの目盛が付されているが、実際にはｍｍ単位の表示とする（図６参照）。測定に際しては、巻尺テープ１２０と引手１４０との接続箇所を測定位置に配置し、ケース１１０の先細り部１０１で読み取る測定目盛１２１を読み取る。人体の周長等を測定するときには、巻尺テープ１２０と引手１４０の基部を交差させ、引手１４０の基部が位置する測定目盛１２１の値を読み取る。後述するように、これらの値は液晶表示部１６１に表示される。
【００２７】
また、巻尺テープ１２０の他方の面１２０Ｂには、両縁部にそれぞれ検出マーク１２２Ａ、１２２Ｂが印刷されている。検出マーク１２２Ａ及び検出マーク１２２Ｂは幅ｗの黒色の長方形マークをピッチｐで連続して構成される。この例では、長方形の幅ｗを２ｍｍ、ピッチｐを４ｍｍとしている。また、本実施形態では検出マーク１２２Ａ及び１２２Ｂは同じ位相で配置されている。また、他方の面にはリセットマーク１２３が印刷されている。検出マーク１２２Ａ、検出マーク１２２Ｂ及びリセットマーク１２３はマーク検出器１５０で検出される。マーク検出器１５０には、反射型検出器１５１Ａ、反射型検出器１５１Ｂ及びリセット検出器１５２を備える。
【００２８】
検出マーク１２２Ａはマーク検出器１５０の反射型検出器１５１Ａで検出し、検出マーク１２２Ｂは反射型検出器１５１ｂで検出する。図２（ｃ）に示すように、本例では、反射型検出器１５１Ａと反射型検出器１５１Ｂは巻尺テープ１２０の移動方向に検出マーク１２２Ａ、１２２Ｂの幅寸法の半分（ｗ／２＝１ｍｍ）だけ位置をずらして配置している。これにより、１ｍｍ単位での計測と、巻尺テープ１２０の引出方向と巻き戻し方向とを区別して検出する。なお、検出マーク１２２Ａ、検出マーク１２２Ｂにおけるマークの寸法ｗ及びピッチｐは測定する単位により適宜変更できる。
【００２９】
図３は同デジタル表示式メジャーにおけるマーク検出手段の検出器による検出マークの検出状態を示すものであり、（ａ）は検出器を示す回路図、（ｂ）は検出器の出力を示す波形図である。反射型検出器１５１Ａ、１５１Ｂは同一の構成を備えるので、図３では反射型検出器１５１として説明する。また検出マーク１２２Ａ、１２２Ｂを検出マーク１２２として説明する。反射型検出器１５１は、図３（ａ）に示すように、発光素子１５１Ｅと受光素子１５１Ｒとから構成されている。発光素子１５１Ｅは発光ダイオード、受光素子１５１Ｒはフォトトランジスタで構成することができる。
【００３０】
反射型検出器１５１は検出マーク１２２の白色部分（巻尺テープ１２０の地色）を検出すると例えば「Ｈ信号」を出力し、黒色長方形を検出すると例えば「Ｌ信号」を出力する。図３（ｂ）に示すように、反射型検出器１５１Ａは、検出マーク１２２Ａを検出してＡ相の信号を、光学検出器である反射型検出器１５１Ｂは検出マーク１２２Ｂを検出してＢ相の信号を出力する。ここで、反射型検出器１５１Ａと反射型検出器１５１Ｂとは、ｗ／２（２ｍｍ）だけずらして配置されているから、巻尺テープ１２０が引き出されると、Ａ相の信号と、Ｂ相の信号とは位相がずれて検出される。これに基づいて１ｍｍピッチでの計測ができる。また、巻尺テープ１２０の移動方向を検出することができる。なお、検出マーク１２２Ａ及び検出マーク１２２Ｂの位相をずらして配置し、反射型検出器１５１Ａ及び反射型検出器１５１Ｂを同じ位置に配置することができる。
【００３１】
巻尺テープ１２０において、検出マーク１２２Ａ、１２２Ｂが形成された他方の面１２０Ｂには、リセットマーク１２３が配置されている。このリセットマーク１２３は口皮を巻尺テープ１２０の地色と異なる色とすることで実現することができる。マーク検出器１５０には、このリセットマーク１２３を検出するリセット検出器１５２を備える。
【００３２】
リセット検出器１５２は、反射型検出器１５１Ａと１５２Ｂと同様に発光素子と受光素子とを備え、反射型検出器１５１Ａと反射型検出器１５１Ｂの間に配置されている。このリセットマーク１２３及びリセット検出器１５２の配置位置は、巻尺テープ１２０がケース１１０に収納され、巻尺テープ１２０の引出長が「０」であり、測定目盛１２１よる測定値が「０」であるときリセットマーク１２３がリセット検出器１５２で検出されるものとする。
【００３３】
デジタル表示式メジャー１００において、巻尺テープ１２０の出し入れで発生する摩耗や測定対象物との摩耗によって、巻尺テープ１２０の測定目盛１２１が薄れる可能性や、測定対象によっては巻尺テープを洗剤や消毒剤等で清掃するため拭取ることがあり、この場合も測定目盛１２１の濃さが薄れることある。また、逆に検出マーク１２２Ａ、１２２Ｂの地色が汚れて反射しないこともあり、その結果正しく受光が行われず、その部分が測定の誤差になる。
【００３４】
このような場合、巻尺テープ１２０を交換する。交換用の巻尺テープとしては一般的な繊維製巻尺に検出マーク１２２Ａ、１２２Ｂ、リセットマーク１２３を付したものを使用できる。図１に示すように、ドラム１３０は、軸部１３１と、巻戻部１３２と、フランジ部１３３とを備える。軸部１３１は、ドラム１３０を、回転軸Ｏを中心として回転可能に保持する。また、巻戻部１３２は、ゼンマイによる巻き戻し力を発生する。フランジ部１３３は、巻尺テープ１２０のずれを防止する。
【００３５】
巻尺テープ１２０の基端は接続部材２１０を介してドラム１３０の巻戻部１３２のゼンマイ１３５の端部に接続されている。接続部材２１０は、樹脂製、又は巻尺テープ１２０や指を損傷しない素材で形成される。図４（ａ）に示すように、接続部材２１０には、ゼンマイ１３５の端部の凸部１３６を嵌め込んで接合するＴ字状の孔部２１１と、巻尺テープ１２０の基端部１２０Ｅを巻掛けて固定する三角孔２１２及びスリット２１３と、が形成されている。また接続部材２１０は、柔軟性を備えるものであり、巻尺テープ１２０と共にドラム１３０に巻き付け可能とする。
【００３６】
これにより、巻尺テープ１２０が破損したり汚染されたりしたとき、新たな巻尺テープ１２０を簡単に交換できる。接続部材２１０は柔軟性があるので、巻尺テープや指を損傷することがない。即ち、使用者は鋼であるゼンマイで巻尺テープ１２０や指を損傷することなく、巻尺テープを簡単に取り外し、取付けることができる。また、接続部材２１０を使用することで、ゼンマイ１３５のマーク検出器１５０に接触することがないようにでき、マーク検出器１５０を損傷することがない。
【００３７】
デジタル表示部１６０は、表示手段として例えば４桁表示の液晶表示部１６１と、デジタル表示式メジャー１００のオンオフスイッチ１６２、電波出力オンオフスイッチ１６３を備える。液晶表示部１６１には、巻尺テープ１２０の引出寸法が小数点以下１桁のｃｍ単位で表示される。
【００３８】
回路基板部１７０は、マーク検出器１５０からの出力に基づいて巻尺テープ１２０の引出長寸法を演算する。この演算手法は公知である。また、回路基板部１７０には、液晶表示部１６１の駆動手段と、演算した引出長寸法を出力する無線出力手段として無線出力回路１６４を備える。本実施形態では、無線出力手段は、ブルートゥース（Bluetooth）（登録商標）の規格により電波を出力する。なお、他の規格により外部装置に測定値を送出することができる。この例では無線出力回路１６４は、デジタル表示部１６０に隣接して配置されている。
【００３９】
ここで、巻尺テープ案内部材１８０は、巻尺テープ１２０とマーク検出器１５０との間に配置される。巻尺テープ案内部材１８０は、基部１８１に２つの案内ローラ１８２、１８３が転動可能に配置され、巻尺テープ１２０の検出マーク１２２Ａ、検出マーク１２２Ｂ、リセットマーク１２３がマーク検出器１５０で安定して検出可能な位置に巻尺テープ１２０を案内する。
【００４０】
以上のように、本実施形態に係るデジタル表示式メジャーは、液晶表示部１６１にデジタル表示を行うため、測定目盛の読み間違いが少なくなる上に、ブルートゥース（登録商標）でパーソナルコンピュータや、スマートフォン、タブレット型コンピュータ等のデジタル記録媒体に送信ができるので、記録ミスがなくなり、測定や記録の作業が確実で早くできる。なお、引き出す量を測るだけなら巻尺テープを使用することなくワイヤー等を使用することもできるが、巻尺テープを利用することで、アナログ表示である寸法目盛とデジタル表示部での数値表示による数値を比較でき、信頼性が向上する。
【００４１】
デジタル表示式メジャー１００による測定中に、ほこりなどの汚れが付着することが考えられる。ほこり等が巻尺テープ１２０に付着すると測定目盛１２１Ａ、１２１Ｂ及びリセットマーク１２３で正常な反射が生じず測定の誤差になる。また、マーク検出器１５０の反射型検出器１５１Ａ、反射型検出器１５１Ｂ、リセット検出器１５２が汚れ、正しく発光受光ができない場合には、測定エラーになってしまう。この場合には、マーク検出器１５０を清掃する必要がある。
【００４２】
本実施形態では、マーク検出器１５０は、検出器蓋部材１１２に取付けられている。図５は同デジタル表示式メジャーにおける蓋部材の開閉状態を示すものであり、（ａ）は蓋部材を開位置とした状態を示すデジタル表示式メジャーの正面図、（ｂ）は（ａ）中のＤ−Ｄ線に相当する断面図、（ｃ）は開位置にある蓋部材を示す（ａ）中のＥ−Ｅ線の相当する断面図、（ｄ）は閉位置にある蓋部材を示す（ａ）中のＥ−Ｅ線の相当する断面図である。
【００４３】
図５（ａ）に示すように、検出器蓋部材１１２は、長方形をなす開口の一つの長辺をヒンジ部として開閉可能である。検出器蓋部材１１２には、ロック機構を備える。閉状態（図５（ｄ））からロック機構を外して開状態（図５（ｃ））にすると、マーク検出器１５０の反射型検出器１５１Ａ、反射型検出器１５１Ｂ及びリセット検出器１５２が露出する。これにより、巻尺テープ１２０の交換やセンサーの清掃を行う際には、このセンサー固定蓋を開放することにより、センサーの状態を観察しながら清掃することができ、巻尺テープの交換でセンサーを傷つけることはない。
【００４４】
ここで、ケース１１０の形状について説明する。上述したように、ケース１１０は台形状であり先細り部１０１から巻尺テープ１２０が取り出される。使用中の巻尺テープ１２０とマーク検出器１５０とは測定目盛１２１Ａ、１２１Ｂを良好に読み取ることができる一定の距離を保った状態とする必要がある。また、その上で巻尺テープ１２０の出し入れもスムーズでなければならない。巻尺テープ１２０を一定の位置に導くだけでなくスムーズに出し入れするには、できるだけ直線的な通り道を考慮することで摩耗も少なくなり巻尺テープ１２０への負担が少なくなり、更にそしてマーク検出器１５０を清掃可能な場所に配置するという要請もある。以上の事情により、デジタル表示式メジャー１００のケース１１０を上述した台形状とした。これにより、巻尺テープ１２０の測定目盛１２１の視認性やデジタル表示式メジャー１００の保持性も良好なものとなった。
【００４５】
次にデジタル表示式メジャー１００を使用して測定を行いつつパーソナルコンピュータ等に測定値を転送する場合について説明する。この場合、パーソナルコンピュータにはデジタル表示式メジャー１００の値を取得するためのアプリケーションソフトウエアがインストールされている。図６は同デジタル表示式メジャーの測定例を示すものであり、（ａ）、(ｂ)、（ｄ）はデジタル表示式メジャーのデジタル表示を示す写真、（ｃ）、（ｅ）は測定値を表示したパーソナルコンピュータの表示画面を示す図である。
【００４６】
図６（ａ）に示すように、引手１４０をデジタル表示式メジャー１００から引きださいない状態において、デジタル表示式メジャー１００の液晶表示部１６１、「０．０ｃｍ」を表示している。そして、図６（ｂ）に示すように、測定をするに際して引手１４０を測定端部の位置に移動する。これにより、巻尺テープ１２０は引き出され、巻尺テープ１２０の測定目盛１２１で引出長「２０ｃｍ」が読み取る。
【００４７】
この状態で、液晶表示部１６１には、「２０．０ｃｍ」と表示される。そして、デジタル表示式メジャー１００の回路基板部１７０からブルートゥース（登録商標）でパーソナルコンピュータにこの値が伝送され、図６（ｃ）に示すように、パーソナルコンピュータのアプリケーション表示画面２２０にも「２０．０」が表示される。
【００４８】
更にこの状態から図６（ｄ）に示すように、巻尺テープ１２０を引き出したとする。すると、巻尺テープ１２０の測定目盛１２１で引出長「５５．４ｃｍ」が読み取る。この状態で、液晶表示部１６１には、「５５．４ｃｍ」と表示される。そして、デジタル表示式メジャー１００の回路基板部１７０からブルートゥース（登録商標）でパーソナルコンピュータにこの値が伝送され、図６（ｅ）に示すように、パーソナルコンピュータのアプリケーション表示画面２２０にも「２０．０」の下段に「５５．４」が表示される。
【００４９】
なお、この例は単純に数値を表示しただけであるが、アプリケーションにより、他の表示、例えば測定物を画像表示しつつ測定した寸法を表示することや、取得した測定値を統計処理して表示すること等ができる。
【産業上の利用可能性】
【００５０】
本発明に係るデジタル表示式メジャーは、健康診断での腹囲測定、身体の各部分測定。（胸囲、ウエスト、ヒップ、頭囲、腕、足、身長等）、服のオーダー採寸と記録、及び裁断処理へのデータ活用、既製服の採寸と記録。データベース化（通信販売等）、荷物の採寸と記録。データの活用(物流)、工場工程内での生産物の検査測定と記録、社内規格化、・その他、長さおけるデジタル数値を希望又は必要とする測定作業に利用でき産業上の利用可能性がある。
【符号の説明】
【００５１】
１００：デジタル表示式メジャー
１０１：先細り部
１１０：ケース
１１１：ケース本体
１１２：検出器蓋部材
１１３：電源部蓋部材
１２０：巻尺テープ
１２０Ａ：一方の面
１２０Ｂ：他方の面
１２０Ｅ：基端部
１２１Ａ、１２１Ｂ：測定目盛
１２３：リセットマーク
１３０：ドラム
１３１：軸部
１３２：巻戻部
１３３：フランジ部
１３５：ゼンマイ
１３６：凸部
１４０：引手
１５０：マーク検出器
１５１：反射型検出器
１５１Ａ、１５１Ｂ：反射型検出器
１５１Ｅ：発光素子
１５１Ｒ：受光素子
１５２：リセット検出器
１６０：デジタル表示部
１６１：液晶表示部
１６４：無線出力回路
１７０：回路基板部
２１０：接続部材
【図１】
2018119841.tif 000003
【図２】
2018119841.tif 000004
【図３】
2018119841.tif 000005
【図４】
2018119841.tif 000006
【図５】
2018119841.tif 000007
【図６】
2018119841.tif 000008